(57)【要約】      （修正有）【課題】軽量で、取扱い性に優れ、かつ、芝生の植生が回復しても景観が損なわれない芝生用補修材を提供する。【解決手段】表面に緑色着色部３を有する、長径が５ｍｍ以下の生分解性基材２からなり、生分解性基材２が、木竹類の粉砕物である芝生用補修材１であって、芝生用補修材１中に、直径が５ｍｍ以下の芝用肥料が混入されている。芝生用補修材１は、長径が５ｍｍ以下の生分解性基材２が木竹類の粉砕物であることで、軽量であり、また、散布や保管がし易い点で取扱い性に優れ、さらに忌避材は野外において生分解されるため、芝生が再生しても、補修部分で盛り上がることもなく、緑地帯特有の景観が維持される。【選択図】図１
0003224405.tif 000002
【実用新案登録請求の範囲】
【請求項１】
表面に緑色着色部を有する、長径が５ｍｍ以下の生分解性基材からなり、
前記生分解性基材が、木竹類の粉砕物であることを特徴とする芝生用補修材。
【請求項２】
前記芝生用補修材中に、直径が５ｍｍ以下の芝用肥料が混入されている請求項１に記載の芝生用補修材。
【考案の詳細な説明】
【技術分野】
【０００１】
本考案は、住宅の庭、公園、ゴルフ場等のように、芝生を使用した緑地帯の補修材に関するものである。
【背景技術】
【０００２】
住宅の庭、公園、ゴルフ場などに設けられた芝生を使用した緑地帯では、ヒトの歩行により芝生が摩耗したり、生育不良で芝生の植生が損なわれることで、土面が露呈することがある。このように土面が露呈すると、緑地帯に特有の美観が著しく損われることになる。
【０００３】
そこで、芝生を使用した緑地帯の補修材として、塩分・植物種子・泥分等の雑物を除去してなる砂を、緑色着色剤により着色したことを特徴とする緑芝用補修材が知られている（特許文献１）。
しかしながら、砂が主成分の前記補修材は、重量があるため、補修現場への持ち運びや、設置に労力がかかるという問題がある。また、砂はそのまま残存するため、前記砂の上に芝生が覆われると、補修部分の芝生が盛り上がってしまい、景観が損なわれる可能性がある。
【先行技術文献】
【特許文献】
【０００４】
【特許文献１】特公昭６３−０３１６０１号公報
【考案の概要】
【考案が解決しようとする課題】
【０００５】
本考案は、軽量で、取扱い性に優れ、かつ、芝生の植生が回復しても景観が損なわれない芝生用補修材を提供することを目的とする。
【課題を解決するための手段】
【０００６】
即ち、本考案の要旨は、
（１）表面に緑色着色部を有する、長径が５ｍｍ以下の生分解性基材からなり、
前記生分解性基材が、木竹類の粉砕物であることを特徴とする芝生用補修材、
（２）前記芝生用補修材中に、直径が５ｍｍ以下の芝用肥料が混入されている前記（１）に記載の芝生用補修材
に関する。
【考案の効果】
【０００７】
本考案の芝生用補修材（以下、本考案の補修材ともいう）は、長径が５ｍｍ以下の生分解性基材が木竹類の粉砕物であることで、軽量であり、また、散布や保管がし易い点で取扱い性に優れ、さらに本考案の忌避材は野外において生分解されるため、芝生が再生しても、補修部分で盛り上がることもなく、緑地帯特有の景観が維持される。
【０００８】
また、本考案の芝生用補修材中には、粒状の芝用肥料が混入されていることで、補修部分の周辺の芝生の生長を促して、芝生の植生が回復するまでの時間を早めることができる。
【図面の簡単な説明】
【０００９】
【図１】本考案の芝生用補修材１の一実施形態を示す概略図である。本実施形態では芝生用補修材１の生分解性基材２の表面には緑色着色部３を有する。
【図２】図２（ａ）は、本考案の芝生用補修材１ａの一実施形態を示す概略図である。図２（ｂ）は、本考案の芝生用補修材１ｂの一実施形態を示す概略図である。本実施形態では芝生用補修材１に加えて、芝用肥料４が混合されている。
【図３】本考案の芝生用補修材１の使用方法の一実施形態を示す概略図である。  図３（ａ）は、芝生５が剥げて地面が露出した補修部分６を有する状態を示す。  図３（ｂ）は、前記補修部分６に芝生用補修材１を地面が見えなくなるまで撒いた状態を示す。  図３（ｃ）は、図３（ｂ）示すように芝生用補修材１を撒いた後、時間が経過して、芝生が再生して前記芝生用補修材１を撒いた部分が見えなくなった状態を示す。
【考案を実施するための形態】
【００１０】
次に、次に本考案の実施の形態を添付図面に基づき詳細に説明するが、本考案は、添付図面に示された形態に限定されず実用新案登録請求の範囲に記載の要件を満たす実施形態の全てを含むものである。
【００１１】
図１に示すように、本考案の芝生用補修材１（以下、補修材１ともいう）は、表面に緑色着色部３を有する、長径が５ｍｍ以下の生分解性基材２からなり、
前記生分解性基材２が、木竹類の粉砕物であることを特徴とする。
【００１２】
図１に示す本考案の補修材１は、生分解性基材２の表面全面に緑色着色部３を有するタイプの補修材であり、補修材１は、複数個ある補修材の代表例を示す。図１で示される補修材１は、立方体状になっているが、その形状は球状、回転楕円体状、立方体状、三角錐状、角柱状、円柱状、円錐状または多面体状であってもよい。
また、図１に示すように、補修材１は、生分解性基材２の表面に緑色着色部３が形成されている。緑色着色部３が設けられている範囲については、前記補修材１の外観が緑色になっているのがわかる程度になっていればよく、例えば、図１に示すように生分解性基材２の表面全面であｌってもよいし、前記表面の少なくとも８０％以上であってもよい。
【００１３】
本考案で芝生とは、庭、グラウンドなどの緑地帯に使用される芝生をいう。芝生を形成する芝草の種類としては、野芝、高麗芝などの日本芝、バミューダグラス、ティフトン、ベントグラス類、フェスク類、ライグラス類、ブルーグラス類などの西洋芝などが挙げられる。前記芝生には、緑地帯を一年中形成させるために、複数種類の芝草を組み合わせた芝生も含まれる。
【００１４】
本考案で用いる生分解性基材２とは、木竹類の粉砕物からなるものである。本考案の忌避材１では、前記のように、細かい状態になっている生分解性基材２を用いることで、散布や保管がし易い点で取扱い性に優れ、さらに生分解性基材２は野外において生分解するため、回収する必要がないという利点がある。
【００１５】
前記木竹類の原料となる植物の種類としては、建築用または農作業用に市販されている針葉樹、広葉樹、竹類などであればよく、特に限定はない。例えば、針葉樹としては、スギ、ヒノキ、マツ、ヒバ、イチイ、カヤ、ネズコ、カラマツ、など、広葉樹としては、サクラ、ケヤキ、ブナ、クリ、コナラ、カシワ、クヌギ、カエデ、ミズナラ、クルミ、クス、ホウノキ、カツラ、ウルシ、カキノキ、リンゴ、コクタンなどが挙げられる。
また、木竹類の粉砕方法については、所望のサイズに粉砕できる方法で処理されていればよく、特に限定はない。
前記木竹類の破砕物のサイズとしては、長径（破砕物における最も大きな長さ）が５ｍｍ以下であることで、芝生の補修部分に露出した土面となじみ易く、前記補修部分への散布がしやすく、また、散布後の生分解性にも優れる。また、前記サイズとしては、長径が５ｍｍ以下の範囲でそろっていても、異なっていてもよい。例えば、図２（ａ）に示すように、複数の補修材１を含む補修材１ａでは、補修材１の形状やサイズが異なっている方が、補修部分の地面の凹凸にうまく適応することができる。
また、前記長径のサイズの下限としては、１ｍｍ以上が好ましい。
前記木竹類の破砕物としては、例えば、市販のスモークチップを使用することもできる。
【００１６】
前記生分解性基材２の表面に設けられる緑色着色部３は、無機顔料、有機顔料、染料、レーキ顔料などの各種顔料を前記生分解性基材２の表面の少なくとも８０％以上に付着させることで形成させることができる。
本考案において、緑色とは、緑色に加えて、黄緑色、青緑色、ライムグリーン、萌黄色、萌葱色、萌木色、浅葱色などの色が挙げられる。
また、芝生の色は、季節に応じて若干変色するため、本考案の補修材１を施す芝生の色に応じて、前記緑色着色部３に使用する顔料の色を選択すればよい。
【００１７】
前記顔料を、前記生分解性基材２の表面に付着させる方法としては、例えば、前記生分解性基材２と前記顔料とをミキサーなどの混合機に添加して混合する方法、前記生分解性基材２を前記顔料を含む溶液中に含浸する方法、前記生分解性基材２に、前記顔料を含む溶液をスプレーする方法などが挙げられる。
なお、前記顔料を含む溶液の媒体としては、水、有機溶剤（エタノール、メタノール、ヘキサン）、水と有機溶剤の混合溶液などが挙げられる。前記媒体については、前記顔料を溶解できるものまたは顔料分を均一に分散できるものであればよく、使用する顔料にあわせて適当なものを適宜選択すればよい。
また、前記顔料を含む溶液を用いないかわりに各種の顔料に適応したバインダーを用いてもよい。
また、顔料を含む溶液中における顔料の含有量についても、生分解性基材２の表面に付着させる方法にあわせて適宜調整すればよい。
【００１８】
本考案の補修材１の表面に付着される前記顔料の量としては、多いほど着色が鮮やかになるが、特に限定はない。
【００１９】
また、図２（ｂ）に示すように、本考案の補修材１ｂには、前記表面に緑色着色部３を有する、長径が５ｍｍ以下の生分解性基材２（補修材１）に加えて、直径が５ｍｍ以下の芝用肥料４が混合されていてもよい。
本考案の補修材１ｂでは、長径が５ｍｍ以下の生分解性基材２によって、芝生が剥げた補修部分の土面を被覆できることに加えて、前記芝用肥料４が混合されていることで、前記補修部分の周辺の芝生の生長を促して、前記補修部分上に芝生の植生が回復するまでの時間を早めることができる。
また、前記直径のサイズの下限としては、１ｍｍ以上が好ましい。
【００２０】
前記芝用肥料４は、市販の化成肥料、有機肥料などが挙げられる。
前記芝用肥料４の使用量としては、本考案の補修材１ｂ中において１０重量％以下であればよい。
【００２１】
以上の本考案の補修材１、１ａ、１ｂは、住宅の庭、公園、ゴルフ場などに設けられた芝生を使用した緑地帯において、好適に使用することができる。
例えば、図３（ａ）に示すように芝生５が剥げて土面が露出した補修部分６に、本考案の補修材１（１ａ、１ｂ）を手などで適当量まいておくことで、図３（ｂ）に示すように緑地帯の外観を回復することができる。
また、本考案の補修材１、１ａ、１ｂは、主成分である生分解性基材２が野外において生分解されるため、図３（ｃ）に示すように、芝生５が再生しても、補修部分６で盛り上がることもなく、緑地帯特有の景観が維持される。
また、本考案の補修材１ｂには、芝用肥料４が混合されているため、補修材１ａを用いた場合に比べると、芝生の再生にかかる時間も短くなるという利点がある。
【実施例】
【００２２】
以下、本考案を実施例などによりさらに詳しく説明するが、本考案はこれらの実施例に限定されるものではない。
【００２３】
（実施例１）
緑色無機顔料および顔料用バインダーを、ミキサーで撹拌している市販のスモークチップ（最大長さ１ｍｍ以上５ｍｍ以下）に添加・混合して、室温で乾燥させることで、図２（ａ）に示す補修材１ａを作製した。
個々の補修材１の形状はおおむね立方体状であったが、大きさ、形状は均一化されたものではなかった。
前記補修材１ａは、軽量であるため、持ち運び易く、また、芝生の剥げた補修部分に手で散布して、露出した土面を前記補修材１ａで覆うことができた。
前記のように補修後の芝生は、一見するだけでは、芝生が剥げていた補修部分の見分けがつかず、緑地帯の景観が回復されていた。
また、前記補修材１ａは、市販のビニール袋、プラスチップ容器などに充填しておくことで、保管もしやすかった。
【００２４】
（実施例２）
実施例１で得られた補修材１ａに、市販の化成肥料（最大長さ１ｍｍ以上５ｍｍ以下）の含有量を１０重量％となるように混合して図２（ａ）に示す補修材１ｂを作製した。
この補修材１ｂも軽量であるため、持ち運び易く、また、芝生の剥げた補修部分に手で散布して、露出した土面を前記補修材１ｂで覆うことができた。
前記のように補修後の芝生は、一見するだけでは、芝生が剥げていた補修部分の見分けがつかず、緑地帯の景観が回復されていた。
また、前記補修材１ｂは、市販のビニール袋、プラスチップ容器などに充填しておくことで、保管もしやすかった。
【００２５】
また、実施例１で得られた補修材１ａ、実施例２で得られた補修材１ｂはいずれも生分解性基材２からなるため、時間がたてば、生分解されるため、芝生が再生しても、例えば、図３（ｂ）に示すように、補修部分６が盛り上がることもなく、緑地帯特有の景観が維持されることがわかる。
【符号の説明】
【００２６】
１、１ａ、１ｂ  芝生用補修材
２  生分解性基材
３  緑色着色部
４  芝用肥料
５  芝生
６  補修部分
【図１】
0003224405.tif 000003
【図２】
0003224405.tif 000004
【図３】
0003224405.tif 000005
【手続補正書】
【提出日】令和1年10月25日(2019.10.25)
【手続補正１】
【補正対象書類名】実用新案登録請求の範囲
【補正対象項目名】全文
【補正方法】変更
【補正の内容】
【実用新案登録請求の範囲】
【請求項１】
表面に緑色着色部を有する、長径が５ｍｍ以下の生分解性基材からなり、
前記生分解性基材が、木竹類の粉砕物であり、容器に充填されたことを特徴とする芝生用補修材。
【請求項２】
前記芝生用補修材中に、直径が５ｍｍ以下の芝用肥料が混入されている請求項１に記載の芝生用補修材。
【手続補正２】
【補正対象書類名】明細書
【補正対象項目名】０００６
【補正方法】変更
【補正の内容】
【０００６】
即ち、本考案の要旨は、
（１）表面に緑色着色部を有する、長径が５ｍｍ以下の生分解性基材からなり、
前記生分解性基材が、木竹類の粉砕物であり、容器に充填されたことを特徴とする芝生用補修材、
（２）前記芝生用補修材中に、直径が５ｍｍ以下の芝用肥料が混入されている前記（１）に記載の芝生用補修材
に関する。